(57)【要約】【課題】原子力施設などの事故等で飛散または流出した放射性物質を、低コストで効率的に、かつ容易に捕集、除去するための放射性物質吸収剤、その製造装置、その放射性物質吸収剤を用いて放射性物質を除去する除染方法およびその放射性物質吸収剤を収納した袋体を提供すること。【解決手段】繊維状に解繊し、加湿した植物由来の浸水性高分子物質である解繊セルロースと、粒子状の無機多孔結晶であるゼオライトと混合した放射性物質吸収剤である。【選択図】図１
2013117508.tif 000002
【特許請求の範囲】
【請求項１】
繊維状に解繊し、加湿した植物由来の浸水性高分子物質と、粒子状の無機多孔結晶と混合した放射性物質吸収剤。
【請求項２】
前記浸水性高分子物質は、紙、パルプ、木材、竹、麻、草、種子ガラの何れか１つまたは２つ以上の混合物を含む物質である請求項１に記載の放射性物質吸収剤。
【請求項３】
前記無機多孔結晶は、イオン交換性を有するゼオライトである請求項１または２に記載の放射性物質吸収剤。
【請求項４】
前記浸水性高分子物質と水と前記無機多孔結晶との重量比が、略１０：９：１である請求項１乃至３の何れか１項に記載の放射性物質吸収剤。
【請求項５】
更に、無機化合物、有機化合物、銀、銅、紺青の何れか１つまたは２つ以上の混合物を混合し、澱粉等を接着剤として混入した請求項１乃至４の何れか１項に記載の放射性物質吸収剤。
【請求項６】
請求項１乃至５の何れか１項に記載の放射性物質吸収剤を袋に入れ、水が入っている容器内に食品と一緒に浸すことにより前記食品を除染する放射性物質吸収フィルター。
【請求項７】
請求項５に記載の放射性物質吸収剤を含む、植物の育成のための植物育成用土壌。
【請求項８】
請求項１乃至５の何れか１項に記載の放射性物質吸収剤を、耐海水腐食性に優れた水酸基含有石油樹脂で成型された網目状の容器内に入れて構成される放射性物質吸収フィルター。
【請求項９】
請求項１乃至５の何れか１項に記載の放射性物質吸収剤を、放射性物質を含有する汚染土壌の表面に浸透性不織布を敷き広げた上に配し、その上に散水することにより、前記放射性物質吸収剤に前記放射性物質を捕集させ、前記汚染土壌を除染する除染方法。
【請求項１０】
請求項８に記載の放射性物質吸収フィルターに、放射性物質を含有する液体を通液することにより、前記放射性物質吸収フィルターを構成する放射性物質吸収剤に前記放射性物質を捕集させ、前記液体を除染する除染方法。
【請求項１１】
紙、パルプ、木材、竹、麻、草、種子ガラの何れか１つまたは２つ以上の混合物を含む物質を収容するタンクと、
前記タンク内に水を供給する水供給装置と、
前記タンク内で前記物質を繊維状に解繊するためにモータで回転駆動する回転刃と、
前記タンク内に粒子状の無機多孔結晶を供給する無機多孔結晶供給装置と、を備え、
前記タンク内で前記回転刃を用いて前記物質を繊維状に解繊し、前記水供給装置で前記水を供給することにより加湿し、前記無機多孔結晶供給装置で前記無機多孔結晶を供給することにより、前記加湿された前記物質と前記無機多孔結晶が混合した放射性物質吸収剤を製造する放射性物質吸収剤製造装置。
【請求項１２】
２つ以上の連なった袋状の収納部を備え、
前記収納部のそれぞれに、繊維状に解繊した植物由来の浸水性高分子物質と、粒子状の無機多孔結晶と混合した乾式放射性物質吸収剤を収納したことを特徴とする袋体。
【請求項１３】
前記浸水性高分子物質は、紙、パルプ、木材、竹、麻、草、種子ガラの何れか１つまたは２つ以上の混合物を含む物質である請求項１２に記載の袋体。
【請求項１４】
前記無機多孔結晶は、イオン交換性を有するゼオライトである請求項１２または１３に記載の袋体。
【請求項１５】
前記浸水性高分子物質と前記無機多孔結晶との重量比が、略１０：１である請求項１２乃至１４の何れか１項に記載の袋体。
【請求項１６】
前記収納部のそれぞれは、分離することが可能な請求項１２乃至１５の何れか１項に記載の袋体。
【請求項１７】
２つ以上の連なった袋状の収納部を備え、
前記収納部のそれぞれに、請求項１乃至５の何れか１項に記載の放射性物質吸収剤を収納したことを特徴とする袋体。
【発明の詳細な説明】
【技術分野】
【０００１】
本発明は、原子力施設などの事故等で飛散または流出した放射性物質を、効率的に捕集、除去するための放射性物質吸収剤、その製造装置、その放射性物質吸収剤を用いて放射性物質を除去する除染方法およびその放射性物質吸収剤を収納した袋体に関する。
【背景技術】
【０００２】
原子力施設（原子力発電所、燃料再処理工場、燃料製造工場、ウラン転換および濃縮工場、研究所等）で事故が起こると、作業者のみならず、周辺地域の住民も大量の放射線を被曝する可能性がある。実際、スリーマイル島原子力発電所事故やチェルノブイリ原子力発電所事故は、動植物を含む多くの生物の被曝が報告されている。
【０００３】
２０１１年の福島第一原子力発電所事故でも、大量の放射性物質が空気中に飛散、又は海若しくは河川に流出したと推測されている。特に、空気中に飛散した放射性物質は、降雨により地表に降下する。そして、地表に降下した放射性物質は、地表に付着して放射能汚染土壌を形成する。
【０００４】
このような放射性物質の除染処理は、汚染の程度を所定基準以下まで下げることが必須であるとともに、これに伴って発生する二次廃棄物の量を如何に少なくするかについても考慮を払う必要がある。
【０００５】
従来、原子力施設から発生する放射性物質を除去する方法は、活性炭等により有機的に除去する方法が開示されている（例えば、特許文献１参照。）。また、活性炭やゼオライトの粉末を汚染箇所に散布したり、土砂と混合して土嚢状にしたりすることで放射性物質を除去する方法が提案されている。
【０００６】
また、放射性廃液を濾過処理した後にイオン交換処理する技術が開示されている（例えば、特許文献２参照。）。
【０００７】
また、セメント質表面の放射能除去方法として、微生物の作用により除去する技術が開示されている（例えば、特許文献３参照。）。
【０００８】
また、ジカルボン酸を用いて化学的に除染する方法および除去装置が提案されている（例えば、特許文献４参照。）。
【先行技術文献】
【特許文献】
【０００９】
【特許文献１】特開平１１−２６４８９６号公報
【特許文献２】特開平６−４３２９２号公報
【特許文献３】特開平５−２１５８９６号公報
【特許文献４】特開２００６−９８３６０号公報
【発明の概要】
【発明が解決しようとする課題】
【００１０】
しかしながら、上述したような従来技術は、放射性物質を除染した後の土壌の回収が困難であるという問題点があった。また、汚染されていない土壌をも多量に含んで回収しなければならない等、除染作業が非効率的であるという問題点があった。また、除染のためのコストが高いという問題点があった。
【００１１】
本発明は、上述のような実状に鑑みたものであり、原子力施設などの事故等で飛散または流出した放射性物質を、低コストで効率的に、かつ容易に捕集、除去するための放射性物質吸収剤、その製造装置、その放射性物質吸収剤を用いて放射性物質を除去する除染方法およびその放射性物質吸収剤を収納した袋体を提供することを目的とする。
【課題を解決するための手段】
【００１２】
本発明は、上記課題を解決するため、下記のような構成を採用した。
【００１３】
すなわち、本発明の一態様によれば、本発明の放射性物質吸収剤は、繊維状に解繊し、加湿した植物由来の浸水性高分子物質と、粒子状の無機多孔結晶と混合した放射性物質吸収剤である。
【００１４】
また、本発明の放射性物質吸収剤は、前記浸水性高分子物質が、紙、パルプ、木材、竹、麻、草、種子ガラの何れか１つまたは２つ以上の混合物を含む物質であることが望ましい。
【００１５】
また、本発明の放射性物質吸収剤は、前記無機多孔結晶が、イオン交換性を有するゼオライトであるが望ましい。
【００１６】
また、本発明の放射性物質吸収剤は、前記浸水性高分子物質と水と前記無機多孔結晶との重量比が、略１０：９：１であることが望ましい。
【００１７】
また、本発明の放射性物質吸収剤は、更に、無機化合物、有機化合物、銀、銅、紺青（プルシアンブルー）の何れか１つまたは２つ以上の混合物を混合し、澱粉等を接着剤として混入した放射性物質吸収剤であることが望ましい。
【００１８】
また、本発明の一態様によれば、本発明の袋体は、２つ以上の連なった袋状の収納部を備え、前記収納部のそれぞれに、上述の放射性物質吸収剤を収納したことを特徴とする。
【００１９】
また、本発明の一態様によれば、本発明の放射性物質吸収フィルターは、上述の放射性物質吸収剤を袋に入れ、水が入っている容器内に食品と一緒に浸すことにより前記食品を除染する放射性物質吸収フィルターである。
【００２０】
また、本発明の一態様によれば、本発明の植物育成用土壌は、上述の放射性物質吸収剤を含む、植物の育成のための植物育成用土壌である。
【００２１】
また、本発明の一態様によれば、本発明の放射性物質吸収フィルターは、上述の放射性物質吸収剤を、耐海水腐食性に優れた水酸基含有石油樹脂で成型された網目状の容器内に入れて構成される放射性物質吸収フィルターである。
【００２２】
また、本発明の一態様によれば、本発明の除染方法は、上述の放射性物質吸収剤を、放射性物質を含有する汚染土壌の表面に浸透性不織布を敷き広げた上に配し、その上に散水することにより、前記放射性物質吸収剤に前記放射性物質を捕集させ、前記汚染土壌を除染する除染方法である。
【００２３】
また、本発明の除染方法は、上述の放射性物質吸収フィルターに、放射性物質を含有する液体を通液することにより、前記放射性物質吸収フィルターを構成する放射性物質吸収剤に前記放射性物質を捕集させ、前記液体を除染することが望ましい。
【００２４】
また、本発明の一態様によれば、本発明の放射性物質吸収剤製造装置は、紙、パルプ、木材、竹、麻、草、種子ガラの何れか１つまたは２つ以上の混合物を含む物質を収容するタンクと、前記タンク内に水を供給する水供給装置と、前記タンク内で前記物質を繊維状に解繊するためにモータで回転駆動する回転刃と、前記タンク内に粒子状の無機多孔結晶を供給する無機多孔結晶供給装置とを備え、前記タンク内で前記回転刃を用いて前記物質を繊維状に解繊し、前記水供給装置で前記水を供給することにより加湿し、前記無機多孔結晶供給装置で前記無機多孔結晶を供給することにより、前記加湿された前記物質と前記無機多孔結晶が混合した放射性物質吸収剤を製造する放射性物質吸収剤製造装置である。
【００２５】
また、本発明の一態様によれば、本発明の袋体は、２つ以上の連なった袋状の収納部を備え、前記収納部のそれぞれに、繊維状に解繊した植物由来の浸水性高分子物質と、粒子状の無機多孔結晶と混合した乾式放射性物質吸収剤を収納したことを特徴とする。
【００２６】
また、本発明の袋体は、前記浸水性高分子物質が、紙、パルプ、木材、竹、麻、草、種子ガラの何れか１つまたは２つ以上の混合物を含む物質であることが望ましい。
【００２７】
また、本発明の袋体は、前記無機多孔結晶が、イオン交換性を有するゼオライトであることが望ましい。
【００２８】
また、本発明の袋体は、前記収納部のそれぞれを分離することが可能であることが望ましい。
【００２９】
また、本発明の袋体は、前記浸水性高分子物質と前記無機多孔結晶との重量比が、略１０：１であることが望ましい。
【発明の効果】
【００３０】
本発明によれば、原子力施設などの事故等で飛散または流出した放射性物質を、低コストで効率的に、かつ容易に捕集、除去することができる。また、浸水性高分子物質として、取り扱いが容易で安価な植物由来の古紙等を用いることができるため、自然環境を破壊することなく、飛散または流出した放射性物質を大量に捕集、除去することができる。
【００３１】
また、本発明による放射性物質吸着後の回収物の処理方法は、不織布等の袋に包まれているので回収が容易である。
【００３２】
また、本発明によれば、回収物を焼却炉で焼却することが可能であり、その残廃物は略５％に減量される。よって、大変危険な放射性物質の貯蔵量を大幅に減らすことができる。
【００３３】
すなわち、土砂を剥ぎ取ったり、草木を刈り取ったり、コンクリートやアスファルト等を削り取る等の、放射性物質が含まれていないものまで大量に廃棄してしまうことに比べ、計り知れない大きな効果を有している。
【図面の簡単な説明】
【００３４】
【図１】袋詰めした放射性物質吸収剤を示す図である。
【図２】放射性物質吸収剤製造装置を示す図である。
【図３】放射性物質吸収剤の製造工程の流れを示すフローチャートである。
【図４】放射性物質吸収剤を含む植物の育成のための植物育成用土壌を示す図である。
【図５】放射性物質吸収剤を含む植物育成用土壌を用いた芝生マットを示す図である。
【図６】放射性物質吸収剤を用いた放射性物質吸収フィルターの使用例を示す図である。
【図７】放射性物質吸収剤を収納する袋体を示す図である。
【図８】袋体に収納した放射性物質吸収剤の使用例１を示す図である。
【図９】袋体に収納した放射性物質吸収剤の使用例２を示す図である。
【図１０】袋体に収納した放射性物質吸収剤の使用例３を示す図である。
【図１１】袋体に収納した放射性物質吸収剤の使用例４を示す図である。
【発明を実施するための形態】
【００３５】
以下、本発明の実施の形態について、図面を参照しながら説明する。
【００３６】
まず、本発明を適用した放射性物質吸収剤について説明する。
【００３７】
図１は、袋詰めした放射性物質吸収剤を示す図である。
【００３８】
図１において、放射性物質吸収剤１は、所要の大きさに形成された透水性、通水性を有する不職布または繊維状の袋に入れられて構成される。放射性物質吸収剤１は、浸水性高分子物質である紙、パルプ、木材、竹、麻、草、種子ガラ等の何れか、またはこれらの混合物を綿状に解繊し、解繊セルロース化したものを、所定質量の水で加湿し、含水比（乾燥基準の含水率）が略１００％となっている。そして、放射性物質吸収剤１は、このような加湿された植物由来の浸水性高分子物質に、粒子状の無機多孔結晶が混合されている。混入される無機多孔結晶は、加湿された浸水性高分子物質の５％（重量％）程度が適量である。
【００３９】
無機多孔結晶は、例えば、イオン交換性を有するゼオライトである。ゼオライトとは、アルカリ金属あるいはアルカリ土類金属を包含する含水アルミノケイ酸塩である。ゼオライトは、結晶構造の中に微細な空孔を有するため、イオン交換機能、吸着機能、触媒機能等を有する。このような機能により、調湿、有機物の吸着や分解、ホルムアルデヒドの分解、防臭、ＮＯｘやＳＯｘの分解等、所謂ゼオライト効果を発揮する。このゼオライト効果は、セシウム（Ｃｓ）やストロンチウム（Ｓｒ）等の放射性物質等を選択的に中に取り込む。
【００４０】
次に、上述した放射性物質吸収剤１を製造するための放射性物質吸収剤製造装置について説明する。
【００４１】
図２は、放射性物質吸収剤製造装置を示す図である。
【００４２】
図２において、（Ａ）は、放射性物質吸収剤製造装置２の外観斜視図であり、（Ｂ）は、放射性物質吸収剤製造装置２を（Ａ）中の矢印Ａ方向から見たときの断面図である。
【００４３】
放射性物質吸収剤製造装置２は、本体部２１と、外蓋２２と、電源スイッチ２３と、スタートスイッチ２４とから構成されている。
【００４４】
本体部２１は、紙、パルプ、木材、竹、麻、草、種子ガラ等の浸水性高分子物質を収容するための解繊タンク３１と、外蓋２２と解繊タンク３１との間に設けられる内蓋３２と、複数枚の刃を備え、浸水性高分子物質が回転した刃に当たることで浸水性高分子物質を粉砕し解繊する回転刃３３と、解繊タンク３１の下方部に設けられ、解繊タンク３１に入れられる浸水性高分子物質の質量を測定する質量センサー３４と、質量センサー３４の測定結果に基づいて、解繊タンク３１に所定量（所定質量）の水を供給する水供給手段３５と、質量センサー３４の測定結果に基づいて、解繊タンク３１に所定量（所定質量）のゼオライト等の粒子状の無機多孔結晶を供給する無機多孔結晶供給手段３６と、ベルト３７を介して回転刃３３を回転駆動させるためのモータ３８と、モータ３８の回転速度を制御する制御手段３９とから構成される。
【００４５】
外蓋２２は、矢印方向に可動し、内蓋３２は、嵌め込み式となっている。また、制御手段３９は、浸水性高分子物質の種類、組み合わせ、および質量に基づいて、回転刃３３の回転速度、回転時間、供給する水および無機多孔結晶の質量を制御する。
【００４６】
このような放射性物質吸収剤製造装置２は、解繊タンク３１内で回転刃３３を用いて浸水性高分子物質を粉砕し、繊維状に解繊する。そして、水供給手段３５で水を供給することにより加湿し、無機多孔結晶供給手段３６で無機多孔結晶を供給することにより、加湿された浸水性高分子物質と無機多孔結晶が混合され、図１を用いて説明したような放射性物質吸収剤１が製造される。
【００４７】
次に、放射性物質吸収剤製造装置２による放射性物質吸収剤１の製造工程を説明する。
【００４８】
図３は、放射性物質吸収剤１の製造工程の流れを示すフローチャートである。
【００４９】
放射性物質吸収剤１の製造は、制御手段３９が予めプログラミングされた制御プログラムを実行することにより行われる。この制御プログラムの動作は、浸水性高分子物質の種類やその組み合わせ等の情報を予め入力しておくことにより、調整が可能である。以下に一例を示す。
【００５０】
まず、放射性物質吸収剤製造装置２の操作者により、紙、パルプ、木材、竹、麻、草、種子ガラ等の浸水性高分子物質が解繊タンク３１に入れられ、内蓋３２および外蓋２２が閉められた後、電源スイッチ２３およびスタートスイッチ２４が入れられる。
【００５１】
すると、ステップＳ３０１において、質量センサー３４が解繊タンク３１内の浸水性高分子物質の質量を測定し、その測定結果と予め入力された浸水性高分子物質の情報に基づいて、所定の回転速度で回転刃３３を所定の時間だけ回転させる。これにより、浸水性高分子物質が裁断される。例えば、パルプの場合は、木材の場合に比べ、遅い回転速度および短い時間で回転刃３３が回転するようにプログラミングされている。
【００５２】
ステップＳ３０１の裁断が終了すると、ステップＳ３０２において、測定した浸水性高分子物質の質量に対して水供給手段３５で所定量の水を解繊タンク３１に供給する。この際、解繊タンク３１に注入される水は、浸水性高分子物質が解繊されやすいように注入され、その水の量（質量）は、解繊後の繊維素材を通常の人の力で圧縮しても水が出ない量が適している。
【００５３】
例えば、裁断された浸水性高分子物質が、使用済みコピー紙２５０ｇ、新聞紙２５０ｇ、新聞折込チラシ２５０ｇ、および雑誌２５０ｇの計１ｋｇの古紙の場合、供給される水の質量は、０．６〜１．３ｋｇで解繊可能であり、特に、略０．８〜０．９ｋｇで最も良好に解繊することができる。例えば、供給される水の質量が０．８ｋｇであれば、通常の古紙の含水比が５（〜６）％であるので、浸水性高分子物質と水の比は、略１０：９（（１−０．０５）：（０．８＋０．０５）＝１０：８．９４７・・・）となる。よって、解繊後の繊維素材の含水比は、略９０％（（０．８＋０．０５）／（１−０．０５）×１００＝８９．４７・・・）となる。なお、供給される水の質量が少ないと、埃や静電気が発生したり、繊維状にならなかったり、繊維がまだ粗かったりする。反対に、供給される水の質量が多すぎると、団子状になってしまい、繊維化されない。
【００５４】
このように、浸水性高分子物質に対して適度な量の水を加えることにより、廃液を全く出さずに解繊することができる。すなわち、浸水性高分子物質を歩留まり１００％で解繊することができる。また、解繊時に発生する埃や静電気を抑えることができる。
【００５５】
ステップＳ３０２の給水が終了すると、ステップＳ３０３において、測定した浸水性高分子物質の質量、予め入力された浸水性高分子物質の情報および給水された水の質量に基づいて、所定の回転速度で回転刃３３を所定の時間だけ回転させる。このときの回転刃３３の回転速度は、例えば、時間の経過と共に徐々に速くなり、所定時間経過後、一定の回転速度で回転させるようにしてもよいし、一貫して所定の回転速度で回転刃３３を回転させるようにしてもよい。また、回転刃３３の回転速度を増減可能に構成してもよい。また、回転刃３３の回転方向を変更可能（逆回転するよう）に構成してもよい。
【００５６】
ステップＳ３０３の解繊が終了すると、ステップＳ３０４において、測定した浸水性高分子物質および給水された水の質量に基づいて、無機多孔結晶供給手段３６で所定量の無機多孔結晶を解繊タンク３１に供給する。例えば、平均粒径４００μｍの砂状のゼオライトを供給する。この際、解繊タンク３１に注入される無機多孔結晶は、浸水性高分子物質と水と無機多孔結晶との重量比が、略１０：９：１（乃至５）となる量が適している。そして、所定の回転速度で回転刃３３を所定の時間だけ回転させる。この際の、回転刃３３の回転速度および時間は、ステップＳ３０１の裁断およびステップＳ３０３の解繊に比べて低速及び短時間でよく、無機多孔結晶が浸水性高分子物質に混合すればよい。これにより、加湿された浸水性高分子物質と無機多孔結晶が混合され、放射性物質吸収剤１が製造される。
【００５７】
そして、ステップＳ３０５において、ステップＳ３０４で混合された放射性物質吸収剤１を、所要の大きさに形成された透水性、通水性を有する不職布または繊維状の袋に入れて梱包する。放射性物質吸収剤１を袋に入れて梱包することにより、放射性物質吸収剤１の取り扱いが容易になる。
【００５８】
次に、上述のようにして製造された放射性物質吸収剤１の使用方法について説明する。
【００５９】
最も簡便な方法は、上述のようにして製造された放射性物質吸収剤１を、放射性物質を含有する汚染土壌の表面に敷き詰めて配する方法である。こうすることにより、放射性物質吸収剤１に放射性物質を捕集させ、汚染土壌を除染することができる。また、汚染土壌の表面に浸透性不織布を敷き広げた上に放射性物質吸収剤１を配し、その上に散水することにより、放射性物質吸収剤１は汚染土壌に馴染みやすくなる。
【００６０】
放射性物質吸収剤１は、加湿されているので、汚染土壌、特に雨水を蓄えた汚染土壌に馴染みやすくなっている。乾燥した汚染土壌であっても、その後の降雨、散水等により放射性物質吸収剤１は汚染土壌に馴染みやすくなる。実際に散水して放射性物質の吸収を確かめることは容易である。
【００６１】
放射性物質吸収剤１を汚染土壌に配する際には、上述のようにして袋詰めした状態でもよいし、袋には入れず、透水性、通水性を有する不職布または繊維状のシートを敷き、その上に綿状の放射性物質吸収剤１を配してもよい。袋詰めした状態であれば、放射性物質吸収剤１が放射性物質を捕集した後に回収が容易である。袋詰めしない場合には、そのまま土壌に定着させてもよい。なお、放射性物質吸収剤１は、植物由来であるので回収した後は焼却し、嵩を大幅に減らした状態で保管することが可能である。また、放射性物質吸収剤１に接着剤を混ぜ圧縮成形することでボード状にしてもよい。
【００６２】
また、上述のような放射性物質吸収剤１を袋に入れ、水が入っている容器内に食品と一緒に浸すことにより前記食品を除染する放射性物質吸収フィルターとして使用することも可能である。
【００６３】
次に、放射性物質吸収剤１の有効な利用方法について説明する。
【００６４】
図４は、放射性物質吸収剤１を含む植物の育成のための植物育成用土壌を示す図である。
【００６５】
図４において、放射性物質吸収芝生床４は、植物の育成のための植物育成用土壌４１を、所要の大きさの透水性、通水性を有する不職布または繊維状の袋体４２に封入し、圧縮成形してマット状にしたものである。植物育成用土壌４１は、放射性物質吸収剤１に、無機化合物、有機化合物、銀、銅、紺青の何れか１つまたは２つ以上の混合物を混合し、更に、コーンスターチ等の澱粉を接着剤として混入して成形した。
【００６６】
図５は、放射性物質吸収剤１を含む植物育成用土壌４を用いた芝生マットを示す図である。
【００６７】
図５に示すように、図４を用いて説明した植物育成用土壌４の表面に芝生４３を定着させ芝生マットを作成することができる。このようにして作成した芝生マットを広範囲の汚染土壌の上に配設することで、汚染地域に関東大震災後の山下公園のような公園を造成することも可能である。
【００６８】
次に、汚染された海水、河川水、地下水、廃棄物埋立地浸出水、下水処理水、生活排水、事業所排水、または上水等の、汚染水に対する使用例を説明する。
【００６９】
図６は、放射性物質吸収剤を用いた放射性物質吸収フィルターの使用例を示す図である。
【００７０】
図６において、放射性物質濾過器５は、容器としての濾過タンク５１を有し、濾過タンク５１の内部に放射性物質吸収フィルター６が設けられている。濾過タンク５１の底部には、被処理液である汚染された海水等が流入する被処理液流入ライン５２が接続され、濾過タンク５１の上部には、放射性物質吸収フィルター６により放射性物質が捕集、除去された処理液を流出させる処理液流出ライン５３が接続されている。被処理液流入ライン５２は、例えば汚染された海水を海から汲み上げる海水ポンプに繋がる給水ラインである。
【００７１】
放射性物質吸収フィルター６は、図１を用いて説明した袋詰めされた放射性物質吸収剤１を、例えば耐海水腐食性に優れた水酸基含有石油樹脂で成型された網目状の容器内に収納して構成される。放射性物質吸収フィルター６は、その一端が封止部６１により保持されることで、濾過タンク５１内の上部に設置されている。放射性物質吸収フィルター６は、被処理液と処理液との隔壁としての機能を有する。
【００７２】
次に、放射性物質吸収フィルター６の作用を説明する。
【００７３】
例えば、例えば海水ポンプで海から汲み上げた被処理液である海水を、粗濾過してゴミ等の不純物を除去した後、被処理液流入ライン５２を通して濾過タンク５１内に流入する。そして、この濾過タンク５１内では、海水等に溶け込んだ放射性物質が放射性物質吸収フィルター６により捕集、除去される。放射性物質が除去された処理液は、濾過タンク５１の上部から処理液流出ライン５３を経て排出される。
【００７４】
このような放射性物質濾過器５によれば、濾過タンク５１内に放射性物質を捕集、除去する放射性物質吸収フィルター６を設け、海水等を通水させることにより、海水等に含まれる放射性物質を確実に除去することができる。
【００７５】
次に、上述の放射性物質吸収剤１または後述する乾式放射性物質吸収剤を収納する袋体について説明する。
【００７６】
図７は、放射性物質吸収剤を収納する袋体を示す図である。図７の（Ａ）は平面図、（Ｂ）はＡＡ断面図、（Ｃ）はＢＢ断面図である。
【００７７】
図７において、袋体７０は、例えば、不職布または繊維状のシートを２つ折りにするか２枚のシートを重ね合わせ、周縁部分および中央部分を接着または縫合することにより、それぞれ独立して連なった袋状の第１の収納部７１および第２の収納部７２を含む複数の収納空間を形成する。そして、これら第１の収納部７１および第２の収納部７２に、上述の放射性物質吸収剤１または後述する乾式放射性物質吸収剤を収納する。
【００７８】
このような袋体７０は、第１の収納部７１および第２の収納部７２の連結部分で容易に折り曲げることが可能である。よって、放射性物質等を捕集した後、袋体７０を鉛またはアルミニウム等の金属製の袋に容易に収納することができ、放射性物質等を捕集したままの袋体７０を保管することが可能である。
【００７９】
また、このような袋体７０は、第１の収納部７１および第２の収納部７２の連結部分で容易に分離することが可能である。分離することにより、特に、放射性物質等を捕集した後に運搬または保管することが容易になる。
【００８０】
第１の収納部７１および第２の収納部７２に収納する乾式放射性物質吸収剤は、浸水性高分子物質である紙、パルプ、木材、竹、麻、草、種子ガラ等の何れか、またはこれらの混合物を綿状に解繊し、解繊セルロース化した後、粒子状の無機多孔結晶と混合して構成されている。このような乾式放射性物質吸収剤は、放射性物質吸収剤１と異なり水で加湿されていない。すなわち、乾式放射性物質吸収剤は、図３を用いて説明した放射性物質吸収剤１の製造工程のうち、ステップＳ３０２の給水工程がスキップされる。しかしながら、乾式放射性物質吸収剤は、後述するような使用形態において加湿されることになる。
【００８１】
図８は、袋体に収納した放射性物質吸収剤の使用例１を示す図である。
【００８２】
図８に示したように、放射性物質吸収剤１または乾式放射性物質吸収剤を第１の収納部７１および第２の収納部７２に収納した袋体７０を、セシウムやストロンチウム等の放射性物質等で汚染された、または汚染された恐れのある液体が流れている場所に設置する。袋体７０は、袋状の収納空間が第１の収納部７１および第２の収納部７２で独立しているので、放射性物質吸収剤１または乾式放射性物質吸収剤をそれぞれに収納していても、その連結部分で容易に折り曲げることが可能である。したがって、図８に示したように、その連結部分で折り曲げて略「Ｌ」字状にすることにより、流れている液体によって袋体７０が押し流されることなく、容易に放射性物質等を捕集、除去することができる。これによって、放射性物質等を多く含んだ液体を下流に流さないようにすることができる。
【００８３】
図９は、袋体に収納した放射性物質吸収剤の使用例２を示す図である。
【００８４】
図９に示したように、袋体７０を、略「Ｌ」字状に曲げた状態で排水溝等の周辺に設置することにより、液体が排水溝の内部に流れ込む前に、放射性物質等を捕集、除去することができる。
【００８５】
図１０は、袋体に収納した放射性物質吸収剤の使用例３を示す図である。
【００８６】
図１０に示したように、放射性物質等で汚染された、または汚染された恐れのある液体の量が多いような場合、例えば、液体が側溝を流れているような場合には、袋体７０を連結部分で折り曲げて棒やハンガー等の掛けることにより、流れている液体によって袋体７０が押し流されることなく、容易に放射性物質等を捕集、除去することができる。
【００８７】
図１１は、袋体に収納した放射性物質吸収剤の使用例４を示す図である。
【００８８】
図１１に示しように、放射性物質吸収剤１または乾式放射性物質吸収剤を第１の収納部７１および第２の収納部７２に収納した袋体７０は、第１の収納部７１および第２の収納部７２の連結部分で２つ折りにして重ねることにより、液体を堰き止める土嚢として利用することも可能である。このようにすれば、放射性物質等を捕集、除去するとともに、放射性物質等を含んだ、または含んだ恐れのなる液体の流れを止める、または流れる方向を変えることも可能である。
【００８９】
以上、本発明の実施の形態を、図面を参照しながら説明してきたが、本発明は、以上に述べた実施の形態に限定されるものではなく、本発明の要旨を逸脱しない範囲内で種々の構成または形状を取ることができる。
【００９０】
例えば、ゼオライトの代わりに、スメクタイト、バーミキュライト、鉄系鉱物、炭化物、層状複水酸化物、紺青でもよい。
【００９１】
また、芝生の代わりに、ヒマワリ、ケナフ、キノア、アマランサス、ソルガム、キビ、麒麟草、クラピア、岩垂草でもよい。
【符号の説明】
【００９２】
１      放射性物質吸収剤
２      放射性物質吸収剤製造装置
４      放射性物質吸収芝生床
５      放射性物質濾過器
６      放射性物質吸収フィルター
２１    本体部
２２    外蓋
２３    電源スイッチ
２４    スタートスイッチ
３１    タンク
３２    内蓋
３３    回転刃
３４    質量センサー
３５    水供給手段
３６    無機多孔結晶供給手段
３７    ベルト
３８    モータ
３９    制御手段
４１    植物育成用土壌
４２    袋体
４３    芝生
５１    濾過タンク
５２    被処理液流入ライン
５３    処理液流出ライン
６１    封止部
７０    袋体
７１    第１の収納部
７２    第２の収納部
【図１】
2013117508.tif 000003
【図２】
2013117508.tif 000004
【図３】
2013117508.tif 000005
【図４】
2013117508.tif 000006
【図５】
2013117508.tif 000007
【図６】
2013117508.tif 000008
【図７】
2013117508.tif 000009
【図８】
2013117508.tif 000010
【図９】
2013117508.tif 000011
【図１０】
2013117508.tif 000012
【図１１】
2013117508.tif 000013